(57)【要約】【課題】閉鎖循環方式と掛け流し方式の運転を切り換えることによって、採算面で有利に飼育を行なうことができると共に、自然水の病原菌が飼育水槽に入ることを防ぐことができる魚介類の飼育装置を提供する。【解決手段】魚介類を飼育する飼育水槽１と、水中の固形物を除去する固形物除去槽２と、水中のアンモニアを除去するアンモニア除去槽３と、水を殺菌する殺菌槽４と、水温を調整する温度調整器５と、水に酸素を供給する酸素供給装置６と、循環ポンプ７とを備えた魚介類の養殖装置に関する。飼育水槽１の水を循環ポンプ７の働きで固形物除去槽２、アンモニア除去槽３、殺菌槽４、温度調整器５、酸素供給装置６に通して循環させる閉鎖循環経路８と、自然水を殺菌槽４に通して飼育水槽１に供給すると共に飼育水槽１の水を排出する掛け流し経路９との、二つの切り換え自在な経路を備える。【選択図】      図１
2004254574.tif 000002
【特許請求の範囲】
【請求項１】
魚介類を飼育する飼育水槽と、水中の固形物を除去する固形物除去槽と、水中のアンモニアを除去するアンモニア除去槽と、水を殺菌する殺菌槽と、水温を調整する温度調整器と、水に酸素を供給する酸素供給装置と、循環ポンプとを備えた魚介類の養殖装置において、飼育水槽の水を循環ポンプの働きで固形物除去槽、アンモニア除去槽、殺菌槽、温度調整器、酸素供給装置に通して循環させる閉鎖循環経路と、自然水を殺菌槽に通して飼育水槽に供給すると共に飼育水槽の水を排出する掛け流し経路との、二つの切り換え自在な経路を備えて成ることを特徴とする魚介類の養殖装置。
【請求項２】
生物ろ過槽によってアンモニア除去槽を形成し、生物ろ過槽内でアンモニアを含む水を循環させるポンプを備えて成ることを特徴とする請求項１に記載の魚介類の養殖装置。
【請求項３】
水を電気分解して発生する活性塩素種でアンモニアを除去すると共に水を殺菌する電気分解槽によって、アンモニア除去槽と殺菌槽とを形成して成ることを特徴とする請求項１に記載の魚介類の養殖装置。
【請求項４】
自然水の水温に応じて閉鎖循環経路と掛け流し経路の切り換えが行なわれるようにして成ることを特徴とする請求項１乃至３のいずれかに記載の魚介類の養殖装置。
【発明の詳細な説明】
【０００１】
【発明の属する技術分野】
本発明は、魚介類を飼育水槽で養殖したり一時的に蓄養したりするようにした養殖装置に関するものである。
【０００２】
【従来の技術】
ヒラメなどの魚介類を飼育水槽で養殖するにあたって、従来は、海水などの自然水を飼育水槽に汲み上げ、飼育水槽の水はそのまま海などに排水する掛け流し方式（流水式）で水の供給を行なうのが一般的であった。このように自然水を飼育水槽に汲み上げてそのまま排水する掛け流し方式の養殖では、養殖に伴って発生するアンモニアなどを処理することが不要であり、また水中に酸素供給するような必要もないので、採算性の点で有利である。しかし、自然水を汲み上げて飼育水槽に供給するだけであるので、飼育水槽の水温は季節に依存しており、水温の低い冬期は魚介類の成長が鈍り、また水温が高い夏期は生理的に給餌効率が低下して成長が鈍るという問題がある。成長最適温度は、例えばヒラメで２０〜２４℃、クエやオコゼで２０〜２７℃である。
【０００３】
そこで、飼育水槽の水を浄化しながら循環させる完全閉鎖循環方式で魚介類を飼育するシステムが種々提案されている（例えば特許文献１、特許文献２参照）。このような閉鎖循環方式の養殖装置では、飼育水槽の水を循環させる循環経路に、水中の固形物を除去する固形物除去槽、水中のアンモニアを除去するアンモニア除去槽、水中に酸素を供給する酸素供給装置の他に、温度調整器を設けることによって、水の温度調整を行なうことができる。従って、冬期は水を加温して水温を高めることによって成長が鈍ることを防ぐと共に、夏期は水を冷やして水温を低下させることによって給餌効率が低下することを防ぎ、魚介類の成長速度を促進することが可能になるものである。
【０００４】
【特許文献１】
特開２０００−３１２５４２号公報
【特許文献２】
特開２００２−１０７２４号公報
【０００５】
【発明が解決しようとする課題】
しかし、水温の調整は冬期と夏期だけでよく、それ以外の期間では水温調整のメリットは特にない。従って水温調整が不要な期間も閉鎖循環方式で飼育水槽の水を循環させるときには、酸素供給を常時行なわなければならないので、電気料金が嵩むなどの採算面で問題が大きい。また、掛け流し方式は自然水をそのまま使用するので上記のように採算面では有利であるが、自然水には病原菌が含まれているおそれがあり、病原菌が飼育水槽に入ると、飼育水槽の魚介類が全滅するおそれがある。
【０００６】
本発明は上記の点に鑑みてなされたものであり、水温調整が必要な期間は閉鎖循環方式で水を浄化しながら飼育水槽に供給すると共に水温調整が不要な期間は自然水を掛け流し方式で飼育水槽に供給することができ、採算面で有利に飼育を行なうことができると共に、自然水の病原菌が飼育水槽に入ることを防ぐことができる魚介類の飼育装置を提供することを目的とするものである。
【０００７】
【課題を解決するための手段】
本発明の請求項１に係る魚介類の飼育装置は、魚介類を飼育する飼育水槽１と、水中の固形物を除去する固形物除去槽２と、水中のアンモニアを除去するアンモニア除去槽３と、水を殺菌する殺菌槽４と、水温を調整する温度調整器５と、水に酸素を供給する酸素供給装置６と、循環ポンプ７とを備えた魚介類の養殖装置において、飼育水槽１の水を循環ポンプ７の働きで固形物除去槽２、アンモニア除去槽３、殺菌槽４、温度調整器５、酸素供給装置６に通して循環させる閉鎖循環経路８と、自然水を殺菌槽４に通して飼育水槽１に供給すると共に飼育水槽１の水を排出する掛け流し経路９との、二つの切り換え自在な経路を備えて成ることを特徴とするものである。
【０００８】
また請求項２の発明は、請求項１において、生物ろ過槽１０によってアンモニア除去槽３を形成し、生物ろ過槽１０内でアンモニアを含む水を循環させるポンプ１１を備えて成ることを特徴とするものである。
【０００９】
また請求項３の発明は、請求項１において、水を電気分解して発生する活性塩素種でアンモニアを除去すると共に水を殺菌する電気分解槽１２によって、アンモニア除去槽３と殺菌槽４とを形成して成ることを特徴とするものである。
【００１０】
また請求項４の発明は、請求項１乃至３のいずれかにおいて、自然水の水温に応じて閉鎖循環経路８と掛け流し経路９の切り換えが行なわれるようにして成ることを特徴とするものである。
【００１１】
【発明の実施の形態】
以下、本発明の実施の形態を説明する。
【００１２】
図１及び図２は本発明の実施の形態の一例を示すものであり、魚介類を飼育する飼育水槽１に閉鎖循環経路８の両端が接続してある。この閉鎖循環経路８に上流から下流への水の流れ方向に沿って、固形物除去槽２、生物ろ過槽１０、殺菌槽４、循環ポンプ７、酸素供給装置６、温度調整器５がこの順に接続してある。固形物除去槽２は沈殿槽やフィルター装置などで形成されるものであり、残餌、魚介類の糞、浮遊物質（ＳＳ）などの固形物を物理的に分離除去するようにしたものである。殺菌槽４は紫外線照射、電解、オゾンなどの殺菌手段を備えて形成されているものである。酸素供給装置６は酸素発生装置、液化酸素設備、送風装置などで形成することができる。温度調整器５は熱交換器やヒーターなどを備えて形成してある。またこれらの他に、泡沫分離装置やｐＨ調節装置などを閉鎖循環経路８に接続することもできる。
【００１３】
図１及び図２の実施の形態では生物ろ過槽１０によってアンモニア除去槽３が形成されるものである。生物ろ過槽１０内は水の流れ方向に沿って複数の室に仕切ってあり、例えば第一室１０ａは硝化菌の働きでアンモニアを硝化して無害化する硝化槽、第二室１０ｂはアンモニアが硝化されて生成された硝酸を脱窒菌の働きで窒素に還元すると共に窒素ガスとして放出する脱窒槽、第三室１０ｃは貯溜槽として形成してある。この第三室１０ｃにはポンプ１１が設けてあり、第三室１０ｃの水を返送路１６を通して第一室１０ａに返送することができるようにしてある。
【００１４】
上記のように飼育水槽１に閉鎖循環経路８を設けることによって閉鎖循環方式の養殖装置を形成することができるが、本発明ではこの閉鎖循環経路８の一部を利用して掛け流し経路９を形成するようにしてある。
【００１５】
すなわち、飼育水槽１と固形物除去槽２の間の閉鎖循環経路８に汲み上げ路１７が分岐接続してあり、この汲み上げ路１７は海洋の海水や河川・湖沼の淡水など自然水を汲み上げるポンプ（図示は省略）に接続してある。汲み上げ路１７には開閉バルブ１８が設けてあり、また汲み上げ路１７には温度センサーなどを具備して形成される水温検出部１９が設けてある。この水温検出部１９は制御回路を設けて形成した運転切換制御盤２０に電気的に接続してある。飼育水槽１と固形物除去槽２の間の閉鎖循環経路８には汲み上げ路１７の分岐箇所よりも上流側に開閉バルブ２１が設けてある。
【００１６】
また固形物除去槽２と殺菌槽４との間にバイパス路２３が接続してあり、このバイパス路２３を通すことによって、固形物除去槽２から生物ろ過槽１０を通過させずに殺菌槽４に水を流すことができるようにしてある。さらに殺菌槽４の下流において、殺菌槽４と循環ポンプ７との間の閉鎖循環経路８に給水路２４が分岐接続してあり、給水路２４の先端は飼育水槽１に接続してある。この給水路２４には開閉バルブ２５が設けてある。また殺菌槽４と循環ポンプ７との間の閉鎖循環経路８には給水路２４の分岐箇所より下流側において開閉バルブ２６が設けてある。さらに、飼育水槽１と固形物除去槽２の間の閉鎖循環経路８には、開閉バルブ２１よりも上流側の位置において排水路２７が分岐接続してあり、排水路２７には開閉バルブ２８が設けてある。
【００１７】
上記の各開閉バルブ１８，２１，２５，２６，２８はそれぞれ電磁バルブなどで形成されるものであり、運転切換制御盤２０に電気的に接続してある。さらに循環ポンプ７も運転切換制御盤２０に電気的に接続してある。そして、汲み上げ路１７、固形物除去槽２、バイパス路２３、殺菌槽４、給水路２４、飼育水槽１、排水路２７の順に水が流れる掛け流し流路９が、閉鎖循環経路８の一部を利用して形成されるものである。
【００１８】
上記のように形成される養殖装置にあって、閉鎖循環方式で運転する場合には、図１に示すように、開閉バルブ１８，２５，２８を閉じると共に、開閉バルブ２１，２６を開き、循環ポンプ７を作動させることによって、飼育水槽１の水を閉鎖循環経路８を通して循環させる。またこのときバイパス路２３は閉じられるようになっている（尚、図において、開いている開閉バルブを白抜きで、閉じている開閉バルブを黒塗りで示し、水が通過する経路を実線で、水が通過しない経路を破線で示している）。すなわち飼育水槽１の水は開閉バルブ２１を通過して固形物除去槽２に入り、水中の固形物が除去され、次に生物ろ過槽１０に入って水中のアンモニアや有機物が生物学的に除去される。さらに水は殺菌槽４に入って殺菌される。このように浄化・殺菌された水は、開閉バルブ２６を通過して閉鎖循環経路８を流れ、酸素供給装置６で酸素を供給された後、温度調整器５で水温が最適温度に調整される。そして水は飼育水槽１に返送されるものであり、このようにして閉鎖循環方式で運転することができるものである。
【００１９】
次に、掛け流し方式で運転する場合には、図２に示すように、開閉バルブ２１，２６を閉じると共に、開閉バルブ１８，２５，２８を開き、循環ポンプ７の作動を停止させると共に汲み上げ路１７の汲み上げポンプを作動させる。またこのとき、固形物除去槽２と生物ろ過槽１０の間の経路は閉じ、バイパス路２３で固形物除去槽２と殺菌槽４が接続されるようになっている。そして汲み上げ路１７を通して汲み上げられた自然水は、固形物除去槽２に入って固形物が除去された後、バイパス路２３を通過して殺菌槽４に入り、水中の病原菌などが殺菌される。このように殺菌された水は給水路２４を通って飼育水槽１に給水されるものであり、飼育水槽１内の余剰の水は排水路２７から排出される。このようにして飼育水槽１に自然水を汲み上げて供給すると共に飼育水槽１から水を排出する掛け流し方式で運転することができるものであり、自然水には酸素が充分に含まれているので、酸素供給装置６から酸素を供給するような必要はないものである。しかも、自然水は殺菌槽４で殺菌されているので、病原菌などが飼育水槽１に持ち込まれることを防ぐことができるものである。
【００２０】
ここで、掛け流し方式で運転する際には、生物ろ過槽１０にはアンモニア等を含む水が流入しないので、閉鎖循環方式で運転していた際にアンモニア等を餌として活性を維持していた硝化菌などの菌の活性が低下し、次に掛け流し方式の運転から閉鎖循環方式の運転に切り換えるときに立ち上がりがスムーズに行なえない。そこで、掛け流し方式で運転する際には、生物ろ過槽１０に設けたポンプ１１を作動させ、生物ろ過槽１０内で水を循環させながら、生物ろ過槽１０内にアンモニア等を含む水を添加することによって、硝化菌などの菌の活性を維持するようにしてある。アンモニア等を含む水の添加は手動で行なうようにしても自動的に行なわれるようにしてもどちらでもよい。
【００２１】
図３及び図４は本発明の他の実施の形態の一例を示すものであり、このものでは、上記のような生物ろ過槽１０及び殺菌槽４を用いる代わりに、電気分解槽１２を用いるようにしている。この電気分解槽１２は水中のアンモニアを除去するアンモニア除去槽３と、水を殺菌する殺菌槽４の両方の機能を備えるものであり、閉鎖循環経路８において固形物除去槽２の下流側に接続してある。電気分解槽１２より下流側において閉鎖循環経路８にはさらに後処理槽３０が接続してある。そして電気分解槽１２と後処理槽３０の間の閉鎖循環経路８に給水路２４が分岐接続してあり、給水路２４の先端は飼育水槽１に接続してある。この給水路２４には開閉バルブ２５が設けてある。その他の構成は図１及び図２のものと同じである。
【００２２】
上記のように形成される養殖装置では、主として海水を用いて養殖を行なうものであり、閉鎖循環方式で運転する場合には、図３に示すように、開閉バルブ１８，２５，２８を閉じると共に、開閉バルブ２１，２６を開き、循環ポンプ７を作動させことによって、飼育水槽１の水を閉鎖循環経路８を通して循環させる。すなわち飼育水槽１の水は開閉バルブ２１を通過して固形物除去槽２に入り、水中の固形物が除去され、次に電気分解槽１２に流入する。
【００２３】
電気分解槽１２内には直流電流が印加される一対の電極（図示省略）が配置してあり、電気分解槽１２に海水が流入すると電気分解され、陽極の電極の付近に次のような反応で、次亜塩素酸等の活性塩素種が生成される。
【００２４】
陽極：  Ｃｌ−＋２ＯＨ−  →  ＣｌＯ−＋Ｈ２Ｏ
そしてこのように生成した次亜塩素酸等の活性塩素種は、海水中に含まれるアンモニアと反応して次のような反応でクロラミンを生成し、さらにこのクロラミン同士が反応して窒素を遊離し、塩素イオンに戻るという一連の反応が起こり、この遊離された窒素が窒素ガスとしてシステム外へ排出されることによって、海水中のアンモニアなどの窒素成分が除去されるものである。
【００２５】
クロラミン生成：  ＮＨ４＋＋ＣｌＯ−  →  ＮＨ２Ｃｌ＋Ｈ２Ｏ
窒素遊離      ：  ２ＮＨ２Ｃｌ＋２ＯＨ−  →  Ｎ２＋２Ｃｌ−＋２Ｈ２Ｏ
海水の電解分解で発生する上記の次亜塩素酸は漂白剤として知られているように脱色作用があり、また殺菌剤でもあることから、電気分解槽１２内で同時に殺菌も行なうことができるものである。
【００２６】
このように、電気分解槽１２でアンモニアが除去され、さらに殺菌がされた海水は後処理槽３０を通過する。後処理槽３０はチオ硫酸ナトリウムなどの塩素中和剤で塩素を中和したり、活性炭で塩素を吸着除去する塩素除去槽として形成されるものであり、電気分解槽１２で反応に消費されずに余った活性塩素種が除去され、活性塩素種の濃度を魚毒性が発揮される濃度以下に抑える処理がなされる。このように浄化・殺菌された水は、開閉バルブ２６を通過して閉鎖循環経路８を流れ、酸素供給装置６で酸素を供給された後、温度調整器５で水温が最適温度に調整される。そして水は飼育水槽１に返送されるものであり、このようにして閉鎖循環方式で運転することができるものである。
【００２７】
次に、掛け流し方式で運転する場合には、図４に示すように、開閉バルブ２１，２６を閉じると共に、開閉バルブ１８，２５，２８を開き、循環ポンプ７の作動を停止させると共に汲み上げ路１７の汲み上げポンプを作動させる。そして汲み上げ路１７を通して汲み上げられた自然水は、固形物除去槽２に入って固形物が除去された後、電気分解槽１２に入り、水中の病原菌などが殺菌される。このように殺菌された水は給水路２４を通って飼育水槽１に給水されるものであり、飼育水槽１内の余剰の水は排水路２７から排出される。このようにして飼育水槽１に自然水を汲み上げて供給すると共に飼育水槽１から水を排出する掛け流し方式で運転することができるものであり、自然水には酸素が充分に含まれているので、酸素供給装置６から酸素を供給するような必要はない。しかも、自然水は電気分解槽１２で殺菌されているので、病原菌などが飼育水槽１に持ち込まれることを防ぐことができるものである。尚、掛け流し方式で運転する場合は、電気分解槽１２でアンモニアの除去を行なう必要はなく、殺菌を行なうことができればよいだけであるので、電気分解槽１２での電気分解は低電圧で行なわれ、残留塩素量は少ない。このために、電気分解槽１２からの水を後処理槽３０に通す必要なく飼育水槽１に直接返送することが可能である。
【００２８】
またここで、アンモニア除去槽３を図１のような生物ろ過槽１０で形成する場合、水を生物ろ過槽１０に通して水中のアンモニア除去を開始する際に、生物ろ過槽１０内の硝化菌などの菌を活性化するための立ち上げが必要であるが、電気分解槽１２は電気化学的な処理でアンモニアの除去を行なうことができるので、立ち上げのための時間が不要になるものである。
【００２９】
図５及び図６は本発明の他の実施の形態の一例を示すものであり、生物ろ過槽１０と電気分解槽１２を併用するようにしたものである。このものでは、生物ろ過槽１０を図３及び図４の固形物除去槽２と電気分解槽１２の間において閉鎖循環経路８に接続してあり、また固形物除去槽２と電気分解槽１２の間にバイパス路２３が接続してあり、このバイパス路２３を通すことによって、固形物除去槽２から生物ろ過槽１０を通過させずに電気分解槽１２に水を流すことができるようにしてある。
【００３０】
そして閉鎖循環方式で運転する場合には、図５に示すように、開閉バルブ１８，２５，２８を閉じると共に、開閉バルブ２１，２６を開き、循環ポンプ７を作動させ、飼育水槽１の水を固形物除去槽２、生物ろ過槽１０、電気分解槽１２、後処理槽３０、酸素供給装置６、温度調整器５の順に通過させて飼育水槽１に返送することによって行なうことができるものである。また掛け流し方式で運転する場合には、図６に示すように、開閉バルブ２１，２６を閉じると共に、開閉バルブ１８，２５，２８を開き、循環ポンプ７の作動を停止させると共に汲み上げ路１７の汲み上げポンプを作動させ、汲み上げ路１７を通して汲み上げられた自然水を、固形物除去槽２、電気分解槽１２を通して飼育水槽１に給水し、飼育水槽１内の余剰の水を排水路２７から排出させることによって行なうことができるものである。
【００３１】
上記の各実施の形態において、飼育水槽１の水を閉鎖循環経路８を通して循環させる閉鎖循環方式で運転する場合と、掛け流し経路９を通して自然水を飼育水槽１に供給する掛け流し方式で運転する場合の切り換えは、汲み上げ路１７に設けた水温検出部１９によって検出される自然水の水温に応じて行なうようにするのが好ましい。成長最適温度は例えばヒラメでは２０〜２４℃であるので、自然水の温度がこの温度範囲内になったときに、閉鎖循環方式から掛け流し方式に運転を切り換え、自然水の温度がこの温度範囲を下回るようになったときや、この温度範囲を上回るようになったときに、掛け流し方式から閉鎖循環方式に運転を切り換え、温度調整器５で水温を上記の範囲に調整しながら循環させるようにするものである。例えば、自然水の水温が２０℃以下になれば閉鎖循環方式の運転に切り換えて水の加温を行ない、自然水の水温がヒステリシスを３℃見込んで２３℃以上になれば掛け流し方式の運転に切り換えるものであり、また自然水の水温が２５℃以上になれば閉鎖循環方式の運転に切り換えて水の冷却を行ない、自然水の水温がヒステリシスを３℃見込んで２２℃以下になれば掛け流し方式の運転に切り換えるものである。勿論、閉鎖循環方式と掛け流し方式の運転の切り換えの温度は魚種に応じて設定されるものであり、また閉鎖循環方式に切り換えた直後の水温調整は、切り換え前の水温を参考にして養殖する魚介類に負担がかからないレベルに設定するのがよい。
【００３２】
また、上記のように汲み上げ路１７に設けた水温検出部１９によって検出される自然水の水温に応じて閉鎖循環方式と掛け流し方式の運転の切り換えを行なうにあたって、運転の切り換えを自動的に行なわせることができる。すなわち、水温検出部１９で検出された水温データは運転切換制御盤２０に入力されており、入力された水温があらかじめ設定された水温の範囲内であれば、運転切換制御盤２０からの制御で開閉バルブ２１，２６を閉じると共に開閉バルブ１８，２５，２８を開いて汲み上げ路１７の汲み上げポンプを作動させ、掛け流し方式に運転を自動的に切り換えるものであり、入力された水温があらかじめ設定された水温から外れると、運転切換制御盤２０からの制御で開閉バルブ１８，２５，２８を閉じると共に開閉バルブ２１，２６を開いて循環ポンプ７を作動させ、閉鎖循環方式に運転を切り換えるものである。自然水の水温の検出の箇所は上記のような汲み上げ路１７に限られるものではないのはいうまでもない。またこのように運転の切り換えを自動的に行なわせるようにする他、手動で切り換えを行なうようにしてもよい。さらに上記のように自然水の水温に応じて運転の切り換えを行なう他、気温の変動に応じて運転の切り換えを行なうようにしてもよい。
【００３３】
尚、上記の各実施の形態では、掛け流し経路９に固形物除去槽２が含まれるようにしたが、自然水が事前にろ過設備などで清澄に処理されたものであれば、汲み上げ路１７を殺菌槽４あるいは電気分解槽１２に接続するようにして、掛け流し方式で運転する際に自然水を固形物除去槽２に通さずに殺菌槽４あるいは電気分解槽１２に直接導くようにしてもよい。
【００３４】
【発明の効果】
上記のように本発明の請求項１にかかる魚介類の養殖装置は、魚介類を飼育する飼育水槽と、水中の固形物を除去する固形物除去槽と、水中のアンモニアを除去するアンモニア除去槽と、水を殺菌する殺菌槽と、水温を調整する温度調整器と、水に酸素を供給する酸素供給装置と、循環ポンプとを備えた魚介類の養殖装置において、飼育水槽の水を循環ポンプの働きで固形物除去槽、アンモニア除去槽、殺菌槽、温度調整器、酸素供給装置に通して循環させる閉鎖循環経路と、自然水を殺菌槽に通して飼育水槽に供給すると共に飼育水槽の水を排出する掛け流し経路との、二つの切り換え自在な経路を備えるので、自然水の水温が魚介類の成長最適温度であるときには掛け流し経路を通して自然水を飼育水槽に供給し、自然水の水温が魚介類の成長最適温度から外れるときには閉鎖循環経路を通して飼育水槽の水を循環させると共に温度調整器で水温を成長最適温度に保つというように、運転を切り換えて行なうことができ、採算面で有利に飼育を行なうことができるものであり、また掛け流し経路を通して自然水を汲み上げるときには殺菌槽で殺菌した後に飼育水槽に供給することができ、自然水中の病原菌が飼育水槽に入ることを防ぐことができるものである。
【００３５】
また請求項２の発明は、請求項１において、生物ろ過槽によってアンモニア除去槽を形成し、生物ろ過槽内でアンモニアを含む水を循環させるポンプを備えるので、掛け流し方式で運転をして生物ろ過槽が使用されない間も、生物ろ過槽内の硝化細菌などの菌の活性化を保つことができ、掛け流し方式から閉鎖循環方式への運転の切り換えをスムーズに行なうことができるものである。
【００３６】
また請求項３の発明は、請求項１において、水を電気分解して発生する活性塩素種でアンモニアを除去すると共に水を殺菌する電気分解槽によって、アンモニア除去槽と殺菌槽とを形成するようにしたので、電気分解槽でアンモニア除去槽と殺菌槽を併用してシステムを簡易化することができると共に、電気分解槽は電気化学的な処理でアンモニアを除去できて立ち上げのための時間が不要になるものである。
【００３７】
また請求項４の発明は、請求項１において、自然水の水温に応じて閉鎖循環経路と掛け流し経路の切り換えが行なわれるようにしたので、自然水の水温が魚介類の成長最適温度であるときには掛け流し経路を通して自然水を飼育水槽に供給し、自然水の水温が魚介類の成長最適温度から外れるときには閉鎖循環経路を通して飼育水槽の水を循環させると共に温度調整器で水温を成長最適温度に保つというように、最適な水温で魚介類の養殖を行なうことができるものである。
【図面の簡単な説明】
【図１】本発明の実施の形態の一例において、閉鎖循環方式で運転する状態を示す概略図である。
【図２】本発明の実施の形態の一例において、掛け流し方式で運転する状態を示す概略図である。
【図３】本発明の他の実施の形態の一例において、閉鎖循環方式で運転する状態を示す概略図である。
【図４】本発明の他の実施の形態の一例において、掛け流し方式で運転する状態を示す概略図である。
【図５】本発明のさらに他の実施の形態の一例において、閉鎖循環方式で運転する状態を示す概略図である。
【図６】本発明のさらに他の実施の形態の一例において、掛け流し方式で運転する状態を示す概略図である。
【符号の説明】
１  飼育水槽
２  固形物除去槽
３  アンモニア除去槽
４  殺菌槽
５  温度調整器
６  酸素供給装置
７  循環ポンプ
８  閉鎖循環経路
９  掛け流し経路
１０  生物ろ過槽
１１  ポンプ
１２  電気分解槽
【図１】
2004254574.tif 000003
【図２】
2004254574.tif 000004
【図３】
2004254574.tif 000005
【図４】
2004254574.tif 000006
【図５】
2004254574.tif 000007
【図６】
2004254574.tif 000008